(57)【要約】【課題】加工が容易であり、かつ、スキミング防止効果及び良好な通信特性とを兼備したＩＣカードアクセス制御体を提供する。【解決手段】導電シート片１と、磁性シート片２とを、備え、磁性シート片２の厚さ寸法Ｔ2 を25μｍ〜50μｍとし、両シート片１，２の縦横寸法を同一とする。【選択図】図１
0003142114.tif 000002
【実用新案登録請求の範囲】
【請求項１】
導電シート片（１）と、該導電シート片（１）の一面（１ａ）に積層一体化した磁性シート片（２）と、を備えると共に、表裏両面をプラスチックシート片（３）（４）にて被覆して成るＩＣカードアクセス制御体に於て、上記磁性シート片（２）はその厚さ寸法（Ｔ2 ）が25μｍ〜50μｍに設定され、しかも、該磁性シート片（２）と導電シート片（１）の縦横寸法を同一とし、かつ、該磁性シート片（２）には貫孔が省略されていることを特徴とするＩＣカードアクセス制御体。
【請求項２】
導電シート片（１）と、該導電シート片（１）の一面（１ａ）と他面（１ｂ）に積層一体化した２枚の磁性シート片（２）（２）と、を備えると共に表裏両面をプラスチックシート片（３）（４）にて被覆して成るＩＣカードアクセス制御体に於て、上記２枚の磁性シート片（２）（２）は、各々、その厚さ寸法（Ｔ2 ）（Ｔ2 ）が25μｍ〜50μｍに設定され、しかも、上記２枚の磁性シート片（２）（２）と上記導電シート片（１）の縦横寸法を同一とし、かつ、各磁性シート片（２）（２）には貫孔が省略されていることを特徴とするＩＣカードアクセス制御体。
【請求項３】
上記導電性シート片（１）の厚さ寸法（Ｔ1 ）を、15μｍ〜50μｍに設定した請求項１又は２記載のＩＣカードアクセス制御体。
【考案の詳細な説明】
【技術分野】
【０００１】
本考案は、非接触ＩＣカード用のアクセス制御体に関する。
【背景技術】
【０００２】
従来、非接触ＩＣカードとカードリーダとの間の電磁結合を制御するカード型アクセス制御体が用いられている（例えば、特許文献１参照）。
【０００３】
即ち、交通機関の改札カードや、金融機関のキャッシュカードやクレジットカード、さらには、入退室管理カードやＩＤカード等の非接触カードのスキミングを防止したり、あるいは、２枚の上記非接触カードの間に挟んで両者を分離し、カードリーダが放射する発信磁界に対して非接触カードを電磁結合させて読み取る際に、（択一的に）選択した一つの非接触ＩＣカードのみを反応させ、他の非接触ＩＣカードの反応を防止し、２枚のものが同時に反応する干渉を防止するのに、用いられている。
【特許文献１】特開２００７−１２０１２号公報
【考案の開示】
【考案が解決しようとする課題】
【０００４】
ところで、従来のＩＣカードアクセス制御体は、図３又は図４に示した要部拡大断面図のように、導電シート片31の表裏両面に、磁性シート片32, 33を積層し、かつ、その両面にプラスチックシート片34, 35を被覆して一体化した、全体矩形カード型であって、特に、磁性シート片32, 33の厚さ寸法Ｔ32，Ｔ33が 100μｍ以上であって、比較的に高価なものとなっていた。
【０００５】
導電シート片31はカードリーダからの発信磁界を吸収して、通信に必要な磁界をなくす作用を行うのであるが、 100μｍ以上の厚さ寸法Ｔ32，Ｔ33の磁性シート片32, 33が同一形状・寸法として導電シート片31に積層されると、その作用（機能）に支障を生ずることとなるため、また、同調周波数を補正する必要もあるため、図３に示す如く、導電シート片31の縦横寸法を各々約６mm〜14mmだけ大きくして、カード四周縁部に沿って、導電シート片31の突出縁38を、約３mm〜７mmの幅寸法Ｗ38だけ突出状としていた。
【０００６】
従って、図３のこのような寸法差を要する構成のものでは、導電シート片31と磁性シート片32, 33の切断等の加工が複雑となり、プラスチックシート片34, 35の被覆形成も面倒となり、加工コストがアップするという問題があった。
あるいは、上述の同調周波数を補正するために、従来の図４に示すように、磁性シート片32, 33の一部に小さな貫孔36, 37を明ける場合もあったが、このような孔明け加工を必要として、加工コストがアップする。
【課題を解決するための手段】
【０００７】
そこで、本考案は、導電シート片と、該導電シート片の一面に積層一体化した磁性シート片と、を備えると共に、表裏両面をプラスチックシート片にて被覆して成るＩＣカードアクセス制御体に於て、上記磁性シート片はその厚さ寸法が25μｍ〜50μｍに設定され、しかも、該磁性シート片と導電シート片の縦横寸法を同一とし、かつ、該磁性シート片には貫孔が省略されている。
また、導電シート片と、該導電シート片の一面と他面に積層一体化した２枚の磁性シート片と、を備えると共に表裏両面をプラスチックシート片にて被覆して成るＩＣカードアクセス制御体に於て、上記２枚の磁性シート片は、各々、その厚さ寸法が25μｍ〜50μｍに設定され、しかも、上記２枚の磁性シート片と上記導電シート片の縦横寸法を同一とし、かつ、各磁性シート片には貫孔が省略されている。
また、上記導電性シート片の厚さ寸法を、15μｍ〜50μｍに設定したものである。
【考案の効果】
【０００８】
本考案によれば、非接触ＩＣカードに対してスキミング防止効果を十分に発揮すると共に、同時に、交通カード等としてカードリーダとの通信距離を改善できる。かつ、製造（加工）も簡略化できて、コストダウンも図り得る。
【考案を実施するための最良の形態】
【０００９】
図１は本考案の実施の一形態を示す要部拡大断面図であって、１はＡｌやＣｕ等の金属箔から成る矩形状の導電シート片であり、２は、この導電シート片１の一面１ａに接着剤等で積層一体化した磁性シート片であり、この磁性シート片２は、プラスチック材に磁性粉を混入して成る。
３，４は表裏両面を被覆したＰＥＴ等のプラスチックシート片である。
【００１０】
この図１からも明らかなように、磁性シート片２と導電シート片１の縦横寸法（形状）を同一とし、両外端縁２ｃ，１ｃは完全に一致しており、しかも、図１では、プラスチッックシート片３，４の縦横寸法（形状）も、磁性シート片２と導電シート片１と同一として、プラスチックシート片３，４の外端縁３ｃ，４ｃは上記外端縁２ｃ，１ｃと完全に一致している。
【００１１】
さらに、磁性シート片２には貫孔が省略されている。即ち、従来の図４に示した貫孔36が省略されている。
そして、磁性シート片２の厚さ寸法Ｔ2 は、従来の図３，図４の厚さ寸法Ｔ32, Ｔ33の半分以下であって、具体的には、25μｍ≦Ｔ2 ≦50μｍとする。なお、導電シート片１の厚さ寸法Ｔ1 は、15μｍ≦Ｔ1 ≦50μｍとするのが良い。
【００１２】
図１に於て、仮想線にて示したのは、非接触ＩＣカード10であり、磁性シート片２側のプラスチックシート片３の外面３ａに重ね合わせて使用する。このように、図１のＩＣカードアクセス制御体Ｚは片面用である。
即ち、図１の上方の片面側15はスキミング防止作用をなして、下方の片面側20は通信用である。導電シート片１はカードリーダからの発信磁界を吸収して通信に必要な磁界を無くするのでスキミング防止機能をなす。他方、磁性シート片２は、透磁率の実部が高いため、磁束がこのシート片２に集中し、かつ、透磁率の虚部が低いため、磁束が磁気損失することなく流れていくこととなり、通信距離が改善される。
【００１３】
実際上、磁性シート片２の厚さ寸法Ｔ2 を、25μｍ〜50μｍと（従来の半分以下に）薄く設定しても、問題なく通信距離を改善できることを、確認した。そして、導電シート片１の厚さ寸法Ｔ1 の大きさと、発信磁界の吸収力とは、比例するが、この厚さ寸法Ｔ1 を、15mmμｍ〜50μｍとすると、磁性シート片２の前記厚さ寸法Ｔ2 が25μｍ〜50μｍとの組合せが好適であって、カードリーダの通信距離を適切値に確保しつつ、スキミング効果も十分に確保できることを、確認した。
【００１４】
次に、図２に示す別の実施の形態を説明する。同一符号は同様の構成であるので、一部重複する説明は省略するが、導電シート片１の一面１ａと他面１ｂに、２枚の磁性シート片２，２を、積層一体化する。各シート片１，２の材質は前述の図１の実施の形態と同様である。
３，４は、ＰＥＴ等のプラスチックシート片であって、磁性シート片２，２の各外面を被覆して一体化する。
【００１５】
２枚の磁性シート片２，２は、各々、その厚さ寸法Ｔ2 ，Ｔ2 が、25μｍ〜50μｍであり、しかも、２枚の磁性シート片２，２と、それに挾着状の導電シート片１の縦横寸法（形状）は同一として、両外端縁２ｃ，１ｃ，２ｃは完全に一致しており、しかも、図２では、プラスチックシート片３，４の縦横寸法（形状）も、シート片２，１，２と同一として、プラスチックシート片３，４の外端縁３ｃ，４ｃは、上記外端縁２ｃ，１ｃ，２ｃと完全に一致している。
【００１６】
さらに、磁性シート片２，２には、いずれも貫孔が省略されている。即ち、従来の図４に示す貫孔36が無い。
この磁性シート片２の厚さ寸法Ｔ2 は、25μｍ〜50μｍと、十分に小さい。また、導電シート片１の厚さ寸法Ｔ1 は、15μｍ〜50μｍとする。
【００１７】
図２に於て、仮想線にて示した非接触ＩＣカード10, 10の間に、本考案に係る（両面用の）ＩＣカードアクセス制御体Ｚを介在（挾持）させて、使用する。
即ち、図２の上方側の非接触ＩＣカード10は、同図の下方からのカードリーダ発信磁界を、導電シート片１にて吸収して、スキミング防止機能をなすと共に、同図の上方の磁性シート片２は、適切な通信距離を確保（改善）する。
【００１８】
図２の下方側の非接触ＩＣカード10は、同図の上方からのカードリーダ発信磁界を、導電シート片１にて吸収して、スキミング防止される。そして、同図の下方の磁性シート片２は通信距離を改善して適切な範囲とすることができる。
【００１９】
実際上、磁性シート片２の厚さ寸法Ｔ2 を、25μｍ〜50μｍと（従来の半分以下に）薄く設定しても、問題なく通信距離を改善できることを、確認した。そして、導電シート片１の厚さ寸法Ｔ1 の大きさと、発信磁界の吸収力とは、比例するが、この厚さ寸法Ｔ1 を、15mmμｍ〜50μｍとすると、磁性シート片２の前記厚さ寸法Ｔ2 が25μｍ〜50μｍとの組合せが好適であって、カードリーダの通信距離を適切値に確保しつつ、スキミング効果も十分に確保できることを、確認した。
【００２０】
特に、図２に示す如く、２枚の非接触ＩＣカード10, 10の間に（サンドイッチ状に）本考案に係るＩＣカードアクセス制御体Ｚを挾持させる（重ね合わせる）と、各々のＩＣカード10, 10が、誤作動せずに、読み取ることが可能であり、例えば、カードケースから取り出す必要がなく、スムーズに改札口の出入りができる。
【図面の簡単な説明】
【００２１】
【図１】本考案の実施の一形態を示す要部拡大断面図である。
【図２】本考案の実施の他の形態を示す要部拡大断面図である。
【図３】従来例を示す要部拡大断面図である。
【図４】他の従来例を示す要部拡大断面図である。
【符号の説明】
【００２２】
１  導電シート片
１ａ  一面
１ｂ  他面
２  磁性シート片
３，４  プラスチックシート片
10  非接触ＩＣカード
Ｔ1 ，Ｔ2   厚さ寸法
Ｚ  ＩＣカードアクセス制御体
【図１】
0003142114.tif 000003
【図２】
0003142114.tif 000004
【図３】
0003142114.tif 000005
【図４】
0003142114.tif 000006